(57)【要約】【課題】プライミング放電セルを有するパネルの初期化放電を安定化させ、良好な品質で画像表示をさせることができるパネルの駆動方法を提供する。【解決手段】複数のサブフィールドのうち少なくとも１つのサブフィールドの初期化期間は奇数番目の走査電極を含む主放電セルの初期化動作を行う奇数初期化期間と偶数番目の走査電極を含む主放電セルの初期化動作を行う偶数初期化期間とを有し、少なくとも奇数初期化期間または偶数初期化期間において、対応する主放電セルの初期化動作と同時にプライミング放電セルの初期化動作を行う。【選択図】図４
2005352344.tif 000002
【特許請求の範囲】
【請求項１】
走査電極および維持電極からなる複数の表示電極対を有する第１の基板と、
放電空間を挟んで前記第１の基板に対向配置され、前記表示電極対と交差する方向に配置した複数のデータ電極を有する第２の基板と、
前記第１の基板と前記第２の基板の間にあって、前記表示電極対と前記データ電極とにより構成された主放電を発生させる主放電セル、および複数の前記走査電極のうち隣接する２本の走査電極によりプライミング放電を発生させるプライミング放電セルを区画するように設けた隔壁とを備えたプラズマディスプレイパネルの駆動方法であって、
１フィールドを初期化期間、書込み期間および維持期間を有する複数のサブフィールドで構成し、
前記複数のサブフィールドのうち少なくとも１つのサブフィールドの初期化期間は、奇数番目の走査電極を含む主放電セルの初期化動作を行う奇数初期化期間と、偶数番目の走査電極を含む主放電セルの初期化動作を行う偶数初期化期間とを有し、
少なくとも前記奇数初期化期間または前記偶数初期化期間において、対応する主放電セルの初期化動作と同時に前記プライミング放電セルの初期化動作を行うことを特徴とするプラズマディスプレイパネルの駆動方法。
【請求項２】
前記奇数初期化期間において、奇数番目の走査電極を陽極とし奇数番目の維持電極を陰極とする主放電セルの初期化動作と同時に奇数番目の走査電極を陽極とし偶数番目の走査電極を陰極とするプライミング放電セルの初期化動作を行い、
前記偶数初期化期間において、偶数番目の走査電極を陽極とし偶数番目の維持電極を陰極とする主放電セルの初期化動作と同時に偶数番目の走査電極を陽極とし奇数番目の走査電極を陰極とするプライミング放電セルの初期化動作を行う
ことを特徴とする請求項１に記載のプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネル（以下、ＰＤＰあるいはパネルと略記する）は、大画面、薄型、軽量であることを特徴とする視認性に優れた表示デバイスである。
【０００３】
ＰＤＰとして代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、サブフィールド法、すなわち１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電をおこし、選択的な壁電荷形成を行う。つづく維持期間では、走査電極と維持電極との間に所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を発生し難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、パネルの前面板に設けたプライミング放電セルを用いてプライミングを発生させ、放電遅れを小さくするパネルとその駆動方法が提案されている（たとえば特許文献１）。
【特許文献１】特開２００２−１５０９４９号公報
【発明の開示】
【発明が解決しようとする課題】
【０００９】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら、上述のパネルおよびその駆動方法においては、キセノン分圧を増加させると、放電特に初期化放電が不安定になり、その結果、書込み不良を生じ、画像表示品質を低下させるおそれがあるという課題があった。
【００１０】
本発明は、これらの課題に鑑みなされたものであり、初期化放電を安定化させ、良好な品質で画像表示をさせることができるパネルの駆動方法を提供することを目的とする。
【課題を解決するための手段】
【００１１】
本発明のプラズマディスプレイパネルの駆動方法は、走査電極および維持電極からなる複数の表示電極対を有する第１の基板と、放電空間を挟んで第１の基板に対向配置され表示電極対と交差する方向に配置した複数のデータ電極を有する第２の基板と、第１の基板と第２の基板の間にあって表示電極対とデータ電極とにより構成された主放電を発生させる主放電セルおよび複数の走査電極のうち隣接する２本の走査電極によりプライミング放電を発生させるプライミング放電セルを区画するように設けた隔壁とを備えたプラズマディスプレイパネルの駆動方法であって、１フィールドを初期化期間、書込み期間および維持期間を有する複数のサブフィールドで構成し、複数のサブフィールドのうち少なくとも１つのサブフィールドの初期化期間は奇数番目の走査電極を含む主放電セルの初期化動作を行う奇数初期化期間と偶数番目の走査電極を含む主放電セルの初期化動作を行う偶数初期化期間とを有し、少なくとも奇数初期化期間または偶数初期化期間において、対応する主放電セルの初期化動作と同時にプライミング放電セルの初期化動作を行うことを特徴とする。この方法により、初期化放電を安定化させ、良好な品質で画像表示をさせることができるプラズマディスプレイパネルの駆動方法を提供することができる。
【００１２】
また、本発明のプラズマディスプレイパネルの駆動方法は、奇数初期化期間において奇数番目の走査電極を陽極とし奇数番目の維持電極を陰極とする主放電セルの初期化動作と同時に奇数番目の走査電極を陽極とし偶数番目の走査電極を陰極とするプライミング放電セルの初期化動作を行い、偶数初期化期間において偶数番目の走査電極を陽極とし偶数番目の維持電極を陰極とする主放電セルの初期化動作と同時に偶数番目の走査電極を陽極とし奇数番目の走査電極を陰極とするプライミング放電セルの初期化動作を行う。この方法により、全主放電セルを初期化する初期化期間においてプライミングが供給され、安定した初期化動作を行うことができる。
【発明の効果】
【００１３】
本発明によれば、初期化放電を安定化させ、良好な品質で画像表示をさせることができるプラズマディスプレイパネルの駆動方法を提供することができる。
【発明を実施するための最良の形態】
【００１４】
以下、本発明の実施の形態におけるパネルの駆動方法について、図面を用いて説明する。
【００１５】
（実施の形態１）
図１は本発明の実施の形態１におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１６】
前面基板２１上には、走査電極２２と維持電極２３とからなる表示電極対が互いに平行に複数対形成されている。このとき、走査電極２２、維持電極２３は、維持電極２３−走査電極２２−走査電極２２−維持電極２３−・・・となるように２本ずつ交互に配列されている。走査電極２２と維持電極２３は、それぞれ透明電極２２ａ、２３ａと透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられている。走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００１７】
背面基板３１上には、走査電極２２および維持電極２３と交差する方向にデータ電極３２が互いに平行に複数形成され、そしてデータ電極３２を覆うように誘電体層３３が形成されている。そして誘電体層３３の上に主放電セル４０を区画するための隔壁３４が形成されている。
【００１８】
隔壁３４は、データ電極３２と平行な方向に延びる縦壁部３４ａと主放電セル４０を形成するとともに主放電セル４０の間に隙間部４１を形成する横壁部３４ｂとで構成されている。その結果、隔壁３４は一対の走査電極２２と維持電極２３とからなる表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部には突出部分２２ｂ’が形成されており、この隙間部はプライミング放電セル４１ａとして働く。すなわち隙間部４１は１つおきに突出部分２２ｂ’を有するプライミング放電セル４１ａとなっている。なお、隙間部４１ｂは２本の維持電極２３が隣り合う側に位置する隙間部である。
【００１９】
そして、これら隔壁３４の頂部は前面基板２１に当接するように平坦に形成されている。これは、隣接する放電セルの相互干渉を防ぐためであり、特に書込み期間において隣接する主放電セル４０の書込み放電にともない発生するプライミングの影響を受けて誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。本発明の実施の形態１においては、隔壁３４の段差が１０μｍ以下となるように形成している。
【００２０】
そして、隔壁３４により区画された主放電セル４０に対応する誘電体層３３の表面と隔壁３４の側面とに蛍光体層３５が設けられている。なお、図１では隙間部４１側に蛍光体層３５を形成していないが、蛍光体層３５を形成する構成としてもよい。
【００２１】
なお、上述の説明ではデータ電極３２を覆うように誘電体層３３が形成されているが、この誘電体層３３は形成しなくてもよい。
【００２２】
図３は本発明の実施の形態１におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態１においては隣り合う走査電極ＳＣｐ、ＳＣｐ＋１（ｐ＝奇数）の突出部分（図１の突出部分２２ｂ’）の間でプライミング放電を行う。
【００２３】
そして、一対の走査電極ＳＣｉ、維持電極ＳＵｉ（ｉ＝１〜ｎ）と１つのデ−タ電極Ｄｊ（ｊ＝１〜ｍ）とを含む主放電セルＣｉ，ｊ（図１の主放電セル４０）が放電空間内にｍ×ｎ個形成される。また走査電極ＳＣｉの突出部分と走査電極ＳＣｉ＋１の突出部分とを含むプライミング放電セルＰＳｉ（図１のプライミング放電セル４１ａ）が形成される。
【００２４】
次に、パネルを駆動するための駆動波形とそのタイミングについて、パネルの動作とともに説明する。
【００２５】
図４は、本発明の実施の形態１におけるパネルの駆動波形図である。このように、本発明の実施の形態１においては、１フィールド期間が初期化期間、書込み期間、維持期間を有する複数のサブフィールドから構成され、第１サブフィールドの初期化期間は画像表示にかかわる全放電セルを初期化動作させる全セル初期化期間を有するサブフィールドであるものとして説明する。全セル初期化期間は、偶数番目の走査電極（以下、偶数走査電極と略記する）をもつ主放電セルの初期化動作を行う偶数ライン初期化期間と、奇数番目の走査電極（以下、奇数走査電極と略記する）をもつ主放電セルの初期化動作を行う奇数ライン初期化期間とを有する。また、書込み期間も、奇数走査電極をもつ主放電セルの書込み動作を行う奇数ライン書込み期間と、偶数走査電極をもつ主放電セルの書込み動作を行う偶数ライン書込み期間とを有する。このように、奇数走査電極と偶数走査電極との全セル初期化動作および書込み動作をそれぞれ時間的に分離して行う。これは以下に詳細に説明するように、壁電荷を用いてプライミング放電を順次継続して安定的に発生させるためである。また、主放電セルの初期化動作と同時にプライミング放電セルの初期化動作を行わせるためである。これにより、プライミング放電セルで発生したプライミングが主放電セルに供給されるので、主放電セルは安定した初期化動作を行うことができる。なお、以下の説明では、偶数ライン初期化期間および奇数ライン初期化期間のそれぞれをさらに２つに分けて前半部、後半部と呼ぶことにする。
【００２６】
まず、全セル初期化期間の偶数ライン初期化期間の前半部では、データ電極Ｄ１〜Ｄｍおよび維持電極ＳＵ１〜ＳＵｎをそれぞれ０（Ｖ）に保持し、奇数走査電極ＳＣｐ（ｐは奇数）には負の電圧Ｖｕ（Ｖ）を印加する。そして偶数走査電極ＳＣｐ＋１には電圧Ｖｉ１から電圧Ｖｉ２に向かって緩やかに上昇する傾斜波形電圧を印加する。するとプライミング放電セルＰＳｐ内では微弱な初期化放電がおこり、プライミングが発生するとともに、偶数走査電極ＳＣｐ＋１上部には負の壁電圧、奇数走査電極ＳＣｐ上部には正の壁電圧が蓄積される。そして、偶数番目の主放電セルＣｐ＋１，ｊ内でも同時に１回目の微弱な初期化放電がおこり、偶数走査電極ＳＣｐ＋１上部に負の壁電圧が蓄積され、データ電極Ｄ１〜Ｄｍ上部および偶数維持電極ＳＵｐ＋１上部には正の壁電圧が蓄積される。このときの初期化放電はプライミング放電セルＰＳｐからプライミングが供給された状態で発生するので、安定した初期化放電となる。なお奇数ライン側の主放電セルＣｐ，ｊ内部では放電が発生しない。
【００２７】
偶数ライン初期化期間の後半部では、維持電極ＳＵ１〜ＳＵｎを正電圧Ｖｅ（Ｖ）に保ち、奇数走査電極ＳＣｐを０（Ｖ）に戻し、偶数走査電極ＳＣｐ＋１には、電圧Ｖｉ３から電圧Ｖｉ４に向かって緩やかに下降する傾斜波形電圧を印加する。この間に偶数番目の主放電セルＣｐ＋１，ｊ内では２回目の微弱な初期化放電がおこり、偶数走査電極ＳＣｐ＋１上部の負の壁電圧および偶数維持電極ＳＵｐ＋１上部の正の壁電圧が弱められ、データ電極Ｄ１〜Ｄｍ上部の正の壁電圧は書込み動作に適した値に調整される。このときプライミング放電セルＰＳｐ内では放電は発生しない。また奇数ライン側の主放電セルＣｐ，ｊ内部でも放電は発生しない。以上が偶数ライン初期化期間における放電およびそれにともなう壁電圧の動きである。
【００２８】
つづく奇数ライン初期化期間では、奇数走査電極と偶数走査電極の役割を入替えて上述と同様の動作を行う。すなわち、奇数ライン初期化期間の前半部では、データ電極Ｄ１〜Ｄｍおよび維持電極ＳＵ１〜ＳＵｎをそれぞれ０（Ｖ）に保持し、偶数走査電極ＳＣｐ＋１には負の電圧Ｖｕ（Ｖ）を印加する。そして奇数走査電極ＳＣｐには電圧Ｖｉ１から電圧Ｖｉ２に向かって緩やかに上昇する傾斜波形電圧を印加する。するとプライミング放電セルＰＳｐ内では微弱な初期化放電がおこり、プライミングが発生するとともに、奇数走査電極ＳＣｐ上部に負の壁電圧が蓄積され、偶数走査電極ＳＣｐ＋１上部に正の壁電圧が蓄積される。そして奇数番目の主放電セルＣｐ，ｊ内でも同時に１回目の微弱な初期化放電がおこり、奇数走査電極ＳＣｐ上部に負の壁電圧が蓄積されるとともに、データ電極Ｄ１〜Ｄｍ上部および奇数維持電極ＳＵｐ上部には正の壁電圧が蓄積される。このときの初期化放電はプライミング放電セルＰＳｐからプライミングが供給された状態で発生するので、安定した初期化放電となる。なお偶数ライン側の主放電セルＣｐ＋１，ｊ内部では放電が発生しない。
【００２９】
奇数ライン初期化期間の後半部では、維持電極ＳＵ１〜ＳＵｎを正電圧Ｖｅ（Ｖ）に保ち、偶数走査電極ＳＣｐ＋１を０（Ｖ）に戻し、奇数走査電極ＳＣｐには、電圧Ｖｉ３から電圧Ｖｉ４に向かって緩やかに下降する傾斜波形電圧を印加する。この間に奇数番目の主放電セルＣｐ，ｊ内では２回目の微弱な放電がおこり、奇数走査電極ＳＣｐ上部の負の壁電圧および奇数維持電極ＳＵｐ上部の正の壁電圧が弱められ、データ電極Ｄ１〜Ｄｍ上部の正の壁電圧は書込み動作に適した値に調整される。このときプライミング放電セルＰＳｐ内では放電は発生しない。また偶数ライン側の主放電セルＣｐ＋１，ｊ内部でも放電は発生しない。
【００３０】
このように、奇数走査電極と偶数走査電極との全セル初期化動作を時間的に分離して行うことによって主放電セルの初期化動作と同時にプライミング放電セルの初期化動作を行わせることができる。
【００３１】
つづく奇数ライン書込み期間では、奇数走査電極ＳＣｐを一旦電圧Ｖｃに保持する。そして、偶数走査電極ＳＣｐ＋１には、隣接する奇数走査電極ＳＣｐとの間でプライミング放電セルＰＳｐ内部に放電を生じさせるための電圧Ｖｑを印加する。次に、１番目の走査電極ＳＣ１に走査パルス電圧Ｖａを印加すると、プライミング放電セルＰＳ１内において２番目の走査電極ＳＣ２との間でプライミング放電が発生する。このときの放電は、プライミング放電セルＰＳ１内部の走査電極ＳＣ１上部に蓄積された負の壁電圧、走査電極ＳＣ２上部に蓄積された正の壁電圧が加算されるため放電遅れが小さく安定した放電となる。そして、主放電セルＣ１，１〜Ｃ１，ｍ内部にプライミングが供給される。このとき、表示すべき画像信号に対応するデータ電極Ｄｋ（ｋは１〜ｍの整数）に正の書込みパルスＶｄを印加すると、データ電極Ｄｋと走査電極ＳＣ１との交差部で放電が発生し、対応する主放電セルＣ１，ｋの維持電極ＳＵ１と走査電極ＳＣ１との間の放電に進展する。そして主放電セルＣ１，ｋ内の走査電極ＳＣ１上部に正の壁電圧が蓄積され、維持電極ＳＵ１上部に負の壁電圧が蓄積され、１行目の書込み動作が終了する。このときの書込み放電はプライミング放電セルＰＳｐからプライミングが供給された状態で発生するので、安定した書込み動作となる。なお、このとき、プライミング放電セルＰＳ１内部の走査電極ＳＣ１上部には正の壁電圧が蓄積され、走査電極ＳＣ２上部には負の壁電圧が蓄積される。
【００３２】
以下同様に奇数番目の主放電セルＣ３，ｋ，Ｃ５，ｋ，・・・について書込み動作を行う。
【００３３】
偶数ライン書込み期間では、偶数走査電極ＳＣｐ＋１を一旦電圧Ｖｃに保持する。そして、奇数走査電極ＳＣｐには、隣接する奇数番目の走査電極ＳＣｐ＋１との間でプライミング放電セルＰＳｐ内部に放電を生じさせるための電圧Ｖｑを印加する。そして、２番目の走査電極ＳＣ２に走査パルス電圧Ｖａを印加すると、プライミング放電セルＰＳ１内において１番目の走査電極ＳＣ１との間でプライミング放電が発生する。このときの放電は、プライミング放電セルＰＳ１内部の走査電極ＳＣ１上部に蓄積された正の壁電圧、走査電極ＳＣ２上部に蓄積された負の壁電圧が加算されるため放電遅れが小さく安定した放電となる。そして、主放電セルＣ２，１〜Ｃ２，ｍ内部にプライミングが供給される。このとき、表示すべき画像信号に対応するデータ電極Ｄｋに正の書込みパルスＶｄを印加すると、データ電極Ｄｋと走査電極ＳＣ２との交差部で放電が発生し、対応する主放電セルＣ２，ｋの維持電極ＳＵ２と走査電極ＳＣ２との間の放電に進展する。そして主放電セルＣ２，ｋ内の走査電極ＳＣ２上部に正の壁電圧が蓄積され、維持電極ＳＵ２上部に負の壁電圧が蓄積され、２行目の書込み動作が終了する。このときの書込み放電もプライミング放電セルＰＳｐからプライミングが供給された状態で発生するので、安定した書込み動作となる。なお、プライミング放電セルＰＳ１内部の壁電圧は反転し、プライミング放電セルＰＳ１内部の走査電極ＳＣ１上部には負の壁電圧、走査電極ＳＣ２上部には正の壁電圧が蓄積される。
【００３４】
以下同様に偶数番目の主放電セルＣ４，ｋ，Ｃ６，ｋ，・・・について書込み動作を行い、書込み期間を終了する。
【００３５】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電をおこした放電セルＣｉ，ｋにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｋにおいて維持放電が発生する。以降同様に、走査電極ＳＣ１〜ＳＣｎと維持電極ＳＵ１〜ＳＵｎとに維持パルスを交互に印加することにより、書込み放電をおこした放電セルＣｉ，ｋに対して維持パルスの回数だけ維持放電が継続して行われる。なお、維持期間においては奇数走査電極ＳＣｐと偶数走査電極ＳＣｐ＋１とには同一の電圧波形が印加されるのでプライミング放電セルＰＳｐ内では放電は発生しない。
【００３６】
つづくサブフィールドの初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎ、データ電極Ｄ１〜Ｄｍとの間でそれぞれ微弱な初期化放電がおこる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。
【００３７】
この後の書込み期間、維持期間、およびつづくサブフィールドの駆動波形およびパネルの動作は上述と同様である。
【００３８】
以上のように本発明の実施の形態１における全セル初期化期間は偶数ライン初期化期間と奇数ライン初期化期間とを有し、奇数走査電極を有する主放電セルと偶数走査電極を有する主放電セルとの全セル初期化動作をそれぞれ時間的に分離して行う。それにより主放電セルの初期化動作と同時にプライミング放電セルの初期化動作を行うことができ、主放電セルの初期化放電をプライミング放電セルからプライミングが供給された状態で発生させるので、安定した書込み動作を行うことができる。
【００３９】
また、書込み期間も偶数ライン書込み期間と奇数ライン書込み期間とを有し、奇数走査電極を有する主放電セルと偶数走査電極を有する主放電セルとの書込み動作をそれぞれ時間的に分離して行う。それにより、プライミング放電セルから十分なプライミングが供給された状態で主放電セルの書込み動作を行う。したがって、放電遅れが小さく、高速かつ安定した書込み放電を実現でき、品質の高い画像を表示することができる。
【００４０】
さらに、本発明の実施の形態１においては、全セル初期化期間の動作を、偶数ライン初期化期間、奇数ライン初期化期間、奇数ライン書込み期間、偶数ライン書込み期間、維持期間の順に行ったが、奇数ラインと偶数ラインの全セル初期化期間および書込み期間が時間的に分離されていればよく、上述の順序に限定されるものではない。次に他の実施の形態におけるパネルの駆動方法を示す。
【００４１】
（実施の形態２）
図５〜図８は本発明の実施の形態２におけるパネルの駆動波形図である。
【００４２】
図５は全セル初期化期間の動作を、奇数ライン初期化期間、奇数ライン書込み期間、偶数ライン初期化期間、偶数ライン書込み期間、維持期間の順に行ったときの駆動波形図である。
【００４３】
まず奇数ライン全セル初期化期間の最初に、奇数走査電極ＳＣｐには負の電荷反転パルスＶｐ−を印加し、偶数走査電極ＳＣｐ＋１には正の電荷反転パルスＶｐ＋を印加する。これら第１回目の電荷反転パルスは、つづく奇数ライン全セル初期化期間前半部においてプライミング放電セル内で確実に初期化放電を発生させるためのものである。つづいて奇数ライン全セル初期化期間の前半部および後半部の初期化動作を行う。これはすでに本発明の実施の形態１において説明した動作と同じであるため、詳細な説明を省略するが、奇数ライン初期化期間の前半部では奇数番目の主放電セルＣｐ，ｊ内で１回目の微弱な初期化放電が発生し、プライミング放電セルＰＳｐ内でも同時に微弱な初期化放電が発生する。そして、奇数ライン初期化期間の後半部では奇数番目の主放電セルＣｐ，ｊ内で２回目の微弱な初期化放電が発生する。次に、初期化を終えた奇数ラインに対して書込み動作を行う。これもすでに本発明の実施の形態１において説明した動作と同じであるため、詳細な説明を省略するが、安定したプライミング放電により十分なプライミングが供給された状態での書込み放電であり、安定した書込み動作となる。
【００４４】
次に、偶数ライン全セル初期化期間の最初に、偶数走査電極ＳＣｐ＋１には負の電荷反転パルスＶｐ−を印加し、奇数走査電極ＳＣｐには正の電荷反転パルスＶｐ＋を印加する。これら第２回目電荷反転パルスは、つづく偶数ライン全セル初期化期間前半部においてプライミング放電セル内で確実に初期化放電を発生させるためのものである。つづいて偶数ライン全セル初期化期間の前半部および後半部の初期化動作を行う。これもすでに本発明の実施の形態１において説明した動作と同じであるため、詳細な説明を省略する。そして、初期化を終えた奇数ラインに対して書込み動作を行う。これもすでに本発明の実施の形態１において説明した動作と同様である。そして、全セル初期化サブフィールドの最後の維持期間において、本発明の実施の形態１と同様な維持動作を行う。
【００４５】
本発明の実施の形態２における駆動方法においては、上述したように奇数ライン全セル初期化期間の最初、および偶数ライン全セル初期化期間の最初に走査電極に第１の電荷反転パルスおよび第２の電荷反転パルスを印加した。これはつづく全セル初期化期間前半部においてプライミング放電セル内で確実に初期化放電を発生させるためのものである。
【００４６】
図６は全セル初期化期間の動作の順番は図５と同じく、奇数ライン初期化期間、奇数ライン書込み期間、偶数ライン初期化期間、偶数ライン書込み期間、維持期間の順であるが、奇数ライン書込み期間にプライミング放電を行わず、２回目の電荷反転パルスを省略した駆動波形図である。すなわち、奇数ライン書込み期間においてはプライミング放電を発生させるための電圧Ｖｑを偶数走査電極ＳＣｐ＋１に印加せず、プライミング放電セルＰＳｐ内に蓄積されている偶数走査電極ＳＣｐ＋１上部の正の壁電圧、奇数走査電極ＳＣｐ上部の負の壁電圧を保存する。そしてこれらの壁電圧を用いることにより、２回目の電荷反転パルスを省略してもつづく偶数ライン初期化期間においてプライミング放電セルＰＳｐ内部で初期化放電を発生させることができる。
【００４７】
図７は、図５に示した駆動波形において奇数走査電極に対する駆動電圧波形と偶数走査電極に対する駆動電圧波形を全セル初期化サブフィールド毎に交互に入替えた駆動電圧波形である。すなわち、最初の全セル初期化期間では、奇数ライン初期化期間、奇数ライン書込み期間、偶数ライン初期化期間、偶数ライン書込み期間、維持期間の順に行い、つづく選択初期化サブフィールドでは選択初期化期間、奇数ライン書込み期間、偶数ライン書込み期間、維持期間の順に行う。そして次の全セル初期化期間では、偶数ライン初期化期間、偶数ライン書込み期間、奇数ライン初期化期間、奇数ライン書込み期間、維持期間の順に行い、つづく選択初期化サブフィールドでは選択初期化期間、偶数ライン書込み期間、奇数ライン書込み期間、維持期間の順に行う。以降は全セル初期化サブフィールド毎にサブフィールド構成を切替えていく。このような駆動方法によって最初の電荷反転パルスを省略することができる。
【００４８】
図８は、図６に示した駆動波形において奇数走査電極に対する駆動電圧波形と偶数走査電極に対する駆動電圧波形を全セル初期化サブフィールド毎に交互に入替えた駆動電圧波形と等しい。このような駆動方法によって電荷反転パルスを省略することができる。
【００４９】
以上のような駆動波形によっても主放電セルの初期化放電を安定化させ、良好な品質で画像表示をさせることができる。
【００５０】
なお、ＡＣ型ＰＤＰの各電極は誘電体層に囲まれており放電空間と絶縁されているため、直流成分は放電そのものには何ら寄与しない。したがって、本発明の実施の形態１および実施の形態２で説明した駆動波形に直流成分を加えた波形を用いても同様の効果が得られることはいうまでもない。
【００５１】
また、最初のサブフィールドの初期化期間はすべての主放電セルで初期化放電を行う全セル初期化動作を行い、次のサブフィールド以降の初期化期間は維持放電を行った主放電セルを選択的に初期化する選択初期化動作を行うものとして説明したが、これらの初期化動作は任意に組み合わせてもよい。
【産業上の利用可能性】
【００５２】
本発明のパネルの駆動方法は、初期化放電を安定化させ、良好な品質で画像表示をさせることができるので、壁掛けテレビや大型モニター等に用いられるプラズマディスプレイパネルの駆動方法として有用である。
【図面の簡単な説明】
【００５３】
【図１】本発明の実施の形態１におけるパネルの構造を示す分解斜視図
【図２】同パネルの断面図
【図３】同パネルの電極配列図
【図４】同パネルの駆動波形図
【図５】本発明の実施の形態２におけるパネルの駆動波形図
【図６】本発明の実施の形態２におけるパネルの駆動波形図
【図７】本発明の実施の形態２におけるパネルの駆動波形図
【図８】本発明の実施の形態２におけるパネルの駆動波形図
【符号の説明】
【００５４】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３    誘電体層
３４    隔壁
３４ａ    縦壁部
３４ｂ    横壁部
３５    蛍光体層
４０    主放電セル
４１ａ    プライミング放電セル
【図１】
2005352344.tif 000003
【図２】
2005352344.tif 000004
【図３】
2005352344.tif 000005
【図４】
2005352344.tif 000006
【図５】
2005352344.tif 000007
【図６】
2005352344.tif 000008
【図７】
2005352344.tif 000009
【図８】
2005352344.tif 000010